(57)【要約】【課題】  表面に絵画を描いた、十分な透光性を備えた薄い紙をガラスなどの透明板に挟むことで、採光性が必要な建具、壁材、装飾品に適した板状の部材を提供する。【解決手段】  十分な透光性が備わった薄い和紙は、通常の絵具を絵具を用いて。直接、絵や文字を描くと、破れてしまうことがあるので、チキソトロピー性を備えた絵具を持ちて、和紙の表面に絵画を直接描くか、他の媒体に描いた絵画を転写する。これを、ガラスなどの透明板で、挟んで保持することにより、窓やなどの建具や室内用の装飾品として用いることができる。絵画は絵の片面に描いてもよいが、両面に、別個の絵画を描くことで、反射光で見るのと、透過光で見るのとで、異なった視認効果を得ることも可能である。【選択図】図２
2018058323.tif 000002
【特許請求の範囲】
【請求項１】
一対の透明板の間に、少なくも一方の面に、文字または絵画の少なくとも一方が描かれた透光性を備えた紙が挟まれてなることを待徴とする透光性絵画
【請求項２】
前記紙は、２０ｇ／ｍ２以下の和紙であることを特徴とする、請求項１に記載の透光性絵画。
【請求項３】
前記文字または絵画を構成する絵具は、８０〜９０重量％の、粉末繊維素と、１０〜２０重量％の、メチルセルロースと増粘多糖類から選ばれる少なくとも１種とを含むバインダーと、前記バインダー；１００重量部に対して、１８００〜２６００重量部の水と、１〜２０重量部の染料または顔料の少なくともいずれかと、１００〜１５０重量部の安息香酸ナトリウムと、０．５〜６重量部のホウ酸とを添加してなる絵具であって、チキソトロピー性を発現し、せん断速度が１０（１／ｓ）以下の領域では、粘性係数が４５（Ｐａ・ｓ）以上であり、せん断速度が１０（１／ｓ）以上の領域では、粘性係数が３５（Ｐａ・ｓ）以下であることを特徴とすることを特徴とする、請求項１または請求項２に記載の透光性絵画。
【発明の詳細な説明】
【技術分野】
【０００１】  本発明はガラスやアクリル系の高分子材料からなる、透明な板の間に挟んで保持した携帯の、透光性を備えた絵画にかかわるものである。
【背景技術】
【０００２】  日本の家屋においては、外光を採り入れるために、古くから建具として、明かり障子が用いられ、天井と鴨居の間に設けられる欄間には、装飾と採光や換気を目的とした、透かし彫りが施されることがある。たま、ヨーロッパにおいては、５世紀初頭頃から板ガラスが製造され、窓に用いられるようになっている。同時に着色した板ガラスを組み合わせ、採光と装飾の機能を兼備したステンドグラスが制作され始めたが、現在の残っているのは、１０世紀以降の教会建築のもの多い。【０００３】  近年は日本の家屋にもガラス窓が普通に用いられているが、採光の機能を備えながら外部からの視線を遮るために、いわゆる「すりガラス」が用いられ、すりガラスのように表面の微細な傷をつけたものの他に、型板ガラスと称される、規則的な模様を形成する凹凸加工を施したものがある。【０００４】  この他にも、例えば非特許文献１に示したような、２枚のガラス板の間に、和紙を挟み、窓ガラスの他に、衝立とのように用いるものが販売されている。このガラスにおいては、単なる和紙ではなく、抄紙の工程で、和紙に厚さの差による模様を形成した紙を用いることで、装飾性を向上し、かつ透光性を維持できる。【０００５】  しかし、このガラスの装飾に、さらに多様性を付与するには、製造方法に起因する限界がある。つまり、装飾性の向上方法の選択肢として、和紙表面への直接描画があるが、和紙の透光性には、その厚みが関わるため、一定以下の厚みにする必要があり、薄い和紙に絵の具などを用いて、文字や絵を描くと、破れてしまうことがある。【０００６】  また、特許文献１には、薄膜状の磁石シートの一方面に、紙又は合成樹脂フィルムからなる薄膜状の印刷シートをラミネートし、この印刷シート面に複写機、プリンター、プロッター等の印刷機により絵画、書、写真、広告等の表示体を印刷し、これをスチール等の磁性体を備えてなる基板に磁着することで。絵、書、写真を好みに応じて、あるいは季節、掲示場所に応じて、さらには来訪者の嗜好に合わせて迅速かつ容易に絵、書、写真等の表示体を交換することができるディスプレイ装置を提供し得ることが開示されている。しかし、ここに開示されているディスプレイ装置は構造が複雑で製造コストなどの点で改善の余地がある。【０００７】  一方で、本発明者は、特許文献２において、本発明者が発明したチキソトロピー性を有する絵具を用いることで、比較的容易にレリーフ状の絵画を描くことができることを開示している。しかも、剥離性のある表面に、この絵の具を用いて描いた絵画は、他の紙などの表面に転写可能である。つまり、通常の方法では、絵画を描くことが困難な媒体を用いた絵画が得られる。
【先行技術文献】
【特許文献】
【０００８】
【特許文献１】  特開２００３−３２６８９９号公報
【特許文献２】  特許第５６４８９４４号公報
【非特許文献】
【０００９】
【非特許文献１】  ｈｔｔｐｓ：／／ｗｗｗ．ｏｒｄｅｒ−ｇｌａｓｓ．ｃｏｍ／ｓｏｕｓｈｏｋｕａｗａｓｅ．ｈｔｍｌ
【発明の概要】
【発明が解決しようとする課題】
【０００８】  本発明の課題は、前記の状況に鑑み、表面に絵画を描いた、十分な透光性を備えた薄い紙をガラスなどの透明板に挟むことで、採光性が必要な建具、壁材、装飾品に適した板状の部材を提供することにある。
【課題を解決するための手段】
【０００９】  本発明は、本発明者による絵具の応用範囲の拡張を検討した結果、なされたものである。【００１０】  即ち、本発明は、一対の透明板の間に、少なくも一方の面に、文字または絵画の少なくとも一方が描かれた透光性を備えた紙が挟まれてなることを特徴とする透光性絵画である。【００１１】  また、本発明は、前記紙が、２０ｇ／ｍ２以下の和紙であることを特徴とする、前記の透光性絵画である。【００１２】  また、本発明は、前記文字または絵画を構成する絵具が、８０〜９０重量％の、粉末繊維素と、１０〜２０重量％の、メチルセルロースと増粘多糖類から選ばれる少なくとも１種とを含むバインダーと、前記バインダー；１００重量部に対して、１８００〜２６００重量部の水と、１〜２０重量部の染料または顔料の少なくともいずれかと、１００〜１５０重量部の安息香酸ナトリウムと、０．５〜６重量部のホウ酸とを添加してなる絵具であって、チキソトロピー性を発現し、せん断速度が１０（１／ｓ）以下の領域では、粘性係数が４５（Ｐａ・ｓ）以上であり、せん断速度が１０（１／ｓ）以上の領域では、粘性係数が３５（Ｐａ・ｓ）以下であることを特徴とすることを特徴とする、前記の透光性絵画である。
【発明の効果】
【００１３】  本発明においては、前記のように、チキソトロピー性を備えた絵具を用いるので、紙に直接絵画を描くことができ、他の媒体に描いた絵画や文字を転写することにより、紙表面に絵画を描くこともできるので、通常の方法では、絵画を描くのが困難な、薄い紙を表現の媒体として利用できる。これによって、高い透光性を備えた絵画の提供が可能となる。【００１４】  また、本発明の透光性絵画は、その特徴から、光が照射される側からも光が透過する側からも視認・鑑賞することが可能である。この特徴を活用する方法として、紙の両面に、二つの絵画のそれぞれ単独の状態、また、二つの絵画を透視して重ねた状態でも、違和感なく視認・鑑賞できるようにすることも可能であり、絵画の新たな表現方法を提案することができる。
【図面の簡単な説明】
【００１５】
【図１】  本発明に用いる絵具の流動特性の一例を示す図。
【図２】  本発明の係る透光性絵画の構成の一例を示す斜視図。
【発明を実施するための形態】
【００１６】  次に、本発明の実施の形態について、具体的な例に基づいて説明する。本発明に係わる絵具は、前記のように、基本的には、８０〜９０重量％の、粉末繊維素と、１０〜２０重量％の、メチルセルロースと増粘多糖類から選ばれる少なくとも１種とを含むバインダーと、前記バインダー；１００重量部に対して、１８００〜２６００重量部の水と、１〜２０重量部の染料または顔料の少なくともいずれかと、１００〜１５０重量部の安息香酸ナトリウムと、０．５〜６重量部のホウ酸とを添加してなる。
【００１７】  添加する水の量を前記のように限定するのは、１８００重量部未満であると、絵具塗材の流動性が極めて低くなり、塗布が実質的に不可能となるからであり、２６００重量部を超える添加量では、逆に絵具塗材の粘性が低すぎて、例えば厚く塗るのが困難になるなどの様々な支障が生じるからである。なお、季節に応じて水の量や、防腐剤の量を調節することが必要である。
【００１８】  次に、本発明の絵具の具体的な製造方法の一例を示す。まずメチルセルロースを２０ｇ秤量し、５００ｃｃの水に投入して撹拌し、さらに安息香酸ナトリウムを５０ｇ秤量して均一になるまで、撹拌した。次に、キサンタンガムを２０ｇ秤量し、顔料として酸化第二鉄を１０ｇ秤量し、４００ｃｃの水に投入して均一になるまで撹拌した。
【００１９】  次に、粉末繊維素として、２００ｇのセルロースファイバーを秤量し、前記のメチルセルロース溶液とキサンタンガム溶液を混合した液に投入し、均一になるまで撹拌して、絵具を得た。さらに、ホウ酸を１．２ｇ秤量して添加し、均一になるまで撹拌した。
【００２０】  このようにして得られた、絵具の流動性を評価するために、レオメータを用いて、せん断速度と粘性係数の関係を求めた。この際、比較のため、ホウ酸を添加していない絵具も同様に評価した。
【００２１】  図１は、前記の粘性係数の測定結果を示す図で、丸を用いてプロットしたものは、本発明の絵具、正方形を用いてプロットしたものは、ホウ酸を添加していない絵具の結果である。図１の結果から明らかなように、せん断速度が、１０（１／ｓ）近傍では、本発明の絵具では、約４５（Ｐａ・ｓ）の粘性係数を示すのに対し、ホウ酸を添加していない絵具の粘性係数は、約３３（Ｐａ／ｓ）であり、顕著な差が明らかである。また、チキソトロピー特性にも、大きな差が見られた。この特性は、前記のように、絵具で立体的な造形や転写を行うのに極めて重要である。
【００２２】  また、本発明において、絵画を描く和紙の厚みを、２０ｇ／ｍ２以下としたのは、これ以上の厚みでは、十分に光を透過しないからであり、この程度の厚さであれば、前記の絵具を用いて、絵画を描いたり、転写したりすることが可能であるためである。
【００２３】  次に、本発明の透光性絵画の構成について、図を参照しながら説明する。図２は、本発明の係る透光性絵画の構成の一例を示す斜視図である。図１において、１は絵画を描いた和紙、２は絵画、２ａは絵画を構成する第一の要素、２ａは絵画を構成する第二の要素、３ａ、３ｂは絵画を挟んで保持するための透明板である。
【００２３】  ここでは、和紙１として、１８ｇ／ｍ２のものを用いた。また、透明板３ａ、３ｂにはガラス板を用いたが、十分な透光性を備えた材質であれば、アクリル系の高分子材料の板を用いることができるのは、言うまでもない。
【００２４】  また、前記の絵画１は、絵画を構成する第一の要素２ａと、絵画を構成する第二の要素２ｂを片方の面に描くこともできるが、両面に別個に描くことにより、絵画１を反射光で見るか、透過光で見るかによって、別々の視認効果を提供できる。
【００２５】  以上に詳しく説明したように、本発明によれば、透光性に優れた絵画を提供することが可能となり、絵画の表現の多様性拡大に寄与するところが大きいばかりでなく、家屋の建具やその他の什器に、これまでにない装飾効果を付与できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１  ・・・  和紙      ２  ・・・  絵画
２ａ  ・・・  絵画を構成する第一の要素
２ｂ  ・・・  絵画を構成する第二の要素
３ａ，３ｂ  ・・・  透明板
【図１】
2018058323.tif 000003
【図２】
2018058323.tif 000004